(57)【要約】【課題】ヘッドバンドの長さ調節操作部材のデザインの自由度を高めることができるヘッドホンを得る。【解決手段】ドライバーユニットを組み込んだ左右一対のイヤピースと、円弧を描くヘッドバンド１と、ヘッドバンド１の両端部において各一端部がヘッドバンド１に対し進退可能であり各他端部にイヤピースが連結されている一対のスライダー２と、ヘッドバンド１の両端部に固着されスライダー２がその長手方向にスライド可能に貫通する操作部材３と、を備え、スライダー２は、長手方向に沿って形成された凹溝２２と、凹溝２２の底部にスライダー２の長手方向に一定間隔で形成されたクリック穴２３を有し、操作部材３は、スライダー２のクリック穴２３に落ち込むことができる球体５と、球体５をクリック穴２３に向かって押圧する付勢部材４を有している。【選択図】図１
2011082851.tif 000002
【特許請求の範囲】
【請求項１】
ハウジング内にドライバーユニットを組み込んだ左右一対のイヤピースと、
円弧を描くヘッドバンドと、
上記ヘッドバンドの両端部においてそれぞれ一端部が上記ヘッドバンドに対し進退可能でありそれぞれの他端部に上記イヤピースが連結されている一対のスライダーと、
上記ヘッドバンドの両端部に固着され上記スライダーがその長手方向にスライド可能に貫通する操作部材と、を備え、
上記スライダーは、長手方向に沿って形成された凹溝と、この凹溝の底部にスライダーの長手方向に一定間隔で形成されたクリック穴を有し、
上記操作部材は、上記スライダーのクリック穴に落ち込むことができる球体と、この球体を上記クリック穴に向かって押圧する付勢部材を有していることを特徴とするヘッドホン。
【請求項２】
球体と付勢部材は、操作部材に形成されている円筒形状の受け入れ穴に収納されている請求項１記載のヘッドホン。
【請求項３】
操作部材は、スライダーの凹溝に落ち込んでスライダーの移動をガイドするガイド突起を有する請求項１記載のヘッドホン。
【発明の詳細な説明】
【技術分野】
【０００１】
本発明は、ヘッドホンに関するもので、特に、ドライバーユニットが組み込まれた左右のヘッドホン本体（以下、ヘッドホン本体のことを「イヤピース」という）をつなぐヘッドバンドの長さ調節機構に関するものである。
【背景技術】
【０００２】
耳覆い型ヘッドホンあるいは耳載せ型ヘッドホンは、一般に、イヤパッドを備えたハウジング内にスピーカと同じ構造のドライバーユニットを組み込んだイヤピースを左右に対をなして有していて、この対をなすイヤピースをヘッドバンドで連結している。ヘッドバンドは、ユーザーの頭部をまたぐように円弧を描いており、このヘッドバンドの長さ方向中間部がユーザーの頭頂部に接した態様で左右のイヤピースがユーザーの両耳の位置に対応することができるように、長さ調節機構を備えている。また、ヘッドホンを使用しているとき、左右のイヤピースのイヤパッドが適度の圧力でユーザーの耳または側頭部に接するように、ヘッドバンドは適度の弾性を有している。
【０００３】
ヘッドホンにおけるヘッドバンドの長さ調節機構に関しては、さまざまな目的をもって各種構造のものが提案されている。例えば、左右のイヤピースからアームケースを伸び出させ、ヘッドバンドの両端から延び出たアームスライダーの裏面に凹凸を形成し、上記アームケースに上記凹凸に係合する弾性係止部を一体に形成したヘッドホンにおいて、外観を良くするために、上記アームケースの表側の壁に、この表側の壁を覆うバッジ（カバー）を着脱可能に装備したものがある（特許文献１参照）。
【０００４】
ヘッドホンの別の従来例として、ヘッドバンドに対してハウジング（イヤピース）を摺動可能に支持するスライダーを中空の筒体とし、この筒体内にコードの螺旋状カール部を収納し、スライダーの移動に伴うコードの伸縮を、スライダー内におけるカール部の伸縮によって吸収するように構成したものがある（特許文献２参照）。この従来例は、ヘッドバンドに対するイヤピースの高さ調節すなわちヘッドバンドの長さ調節を行った場合に、コードが外部に露出することなく、かつ、突っ張ることなく円滑に伸縮し、さらに、コードの伸縮のための特別なケースを不要とすることを目的としている。
【０００５】
特許文献１および特許文献２に記載されている従来のヘッドホンにおいては、イヤピースから一体的に延び出たアームとヘッドバンドの端部とを互いに長さ方向に相対移動可能に、したがって伸縮可能に連結し、ユーザーに適合した相対位置に設定して使用するようになっている。しかし、このような構成では、ユーザーがヘッドホンを頭部に装着した状態でヘッドバンドの長さ調節を行うことは難しい。ヘッドホンを頭部から外した状態で調整し、装着してみて長さが適合しているかどうかを確認し、長さが不適合な場合は再び頭部から外して微調整する、というように、面倒な操作を強いられる。
【０００６】
そこで、ヘッドホンを頭部に装着している状態でもヘッドバンドの長さ調節ができるように、図５に示すような長さ調節機構が考えられている。この従来例では、図示されないヘッドバンドの両端部に操作部材１３０が一体に固着されている。操作部材１３０を、図示されないイヤピースから一体に延び出ているスライダー１２０が貫通している。スライダー１２０はヘッドバンドの端部とほぼ平行に延びていて、ヘッドバンドの長手方向に沿ってスライドすることができる。操作部材１３０はその長さ方向の一部が外側に向かって山状に突出した指当て部１３１を有していて、この指当て部１３１の内方に円筒部１３２が形成されている。この円筒部１３２には、付勢部材としてのコイルばね１０４とその外側から球体１０５が収納され、球体１０５はコイルばね１０４によって円筒部１３２から抜け出る向きに付勢されている。スライダー１２０には長手方向に一定のピッチで部分円弧状の穴１２３が形成されている。これらの穴１２３にはコイルばね１０４で付勢された球体１０５が落ち込むことができる。
【０００７】
図５に示す従来例によれば、ユーザーがヘッドホンを頭部に装着した状態でヘッドバンドの長さ調節ないしはイヤピースの高さ位置調節を行うことができる。ヘッドバンドの長さが短い場合は左右のイヤピースを引き下げればよい。イヤピースの引き下げにより、操作部材１３０と一体のヘッドバンドの端部に対し、イヤピースと実質一体のスライダー１２０が図５において下方にスライドし、実質的にヘッドバンドが延びたのと同じ結果になる。スライダー１２０が一定距離スライドするごとに球体１０５がスライダー１２０の穴１２３に落ち込み、いわゆるクリックが働き、また、調整後のヘッドバンドに対するスライダー１２３の位置が、上記クリックによって暫定的に維持される。
【０００８】
ヘッドバンドが長すぎる場合、すなわち、左右のイヤピースを所定の位置に合わせた状態で、ヘッドバンドとユーザーの頭の頂点との間に隙間が生じる場合は、操作部材１３０の指当て部１３１に指を当てて操作部材１３０とともにヘッドバンドを引き下げる。この操作によって、左右のスライダー１２０に対しヘッドバンドがスライドしながら実質的に短くなる。ヘッドバンドがユーザーの頭の頂点に軽く接する位置で操作部材１３０の引き下げを止める。このヘッドバンドとスライダー１２０の相対移動時も上記クリックが働き、調整後のヘッドバンドに対するスライダー１２３の位置が、上記クリックによって暫定的に維持される。
【先行技術文献】
【特許文献】
【０００９】
【特許文献１】特開２００５-２７７６１７号公報
【特許文献２】特開２００８-６６９７７号公報
【００１０】
図５に示す従来例によれば、ヘッドホンを装着したままヘッドバンドの長さ調節を行うことが可能であるため、操作性が向上する利点がある。
しかしながら、図５に示すヘッドバンドの長さ調節機構によれば、以下のような解決課題がある。すなわち、スライダー１２０に一定のピッチで形成した穴１２３に対して球体１０５をコイルばね１０４の付勢力によって落し込むために、操作部材１３０にコイルばね１０４および球体１０５を収容する円筒部１３２を設けている。そのため、操作部材１３０の上記円筒部１３２に対応する部分が外方に大きく突出する。図５では、コイルばね１０４と球体１０５を合わせた長さすなわち円筒部１３２の長さをＨで表わしていて、この長さＨに対応して操作部材１３０が部分的に突出する。図５に示す例ではこの突出部分を指当て部１３１としている。このように、操作部材１３０の一部が大きく突出していると、操作部材１３０の外観が制約され、デザインの自由度が制限される。趣味性が高く、様々なデザインのバリエーションが望まれるヘッドホンにおいてデザインの自由度が制限されることは望ましくない。
【発明の概要】
【発明が解決しようとする課題】
【００１１】
本発明は、ヘッドホンのデザイン、特にヘッドバンドの長さ調節を行う操作部材のデザインの自由度を高めることができるヘッドホンを提供することを目的とする。
【課題を解決するための手段】
【００１２】
本発明は、ハウジング内にドライバーユニットを組み込んだ左右一対のイヤピースと、円弧を描くヘッドバンドと、上記ヘッドバンドの両端部においてそれぞれ一端部が上記ヘッドバンドに対し進退可能でありそれぞれの他端部に上記イヤピースが連結されている一対のスライダーと、上記ヘッドバンドの両端部に固着され上記スライダーがその長手方向にスライド可能に貫通する操作部材と、を備え、上記スライダーは、長手方向に沿って形成された凹溝と、この凹溝の底部にスライダーの長手方向に一定間隔で形成されたクリック穴を有し、上記操作部材は、上記スライダーのクリック穴に落ち込むことができる球体と、この球体を上記クリック穴に向かって押圧する付勢部材を有していることを最も主要な特徴とする。
【発明の効果】
【００１３】
スライダーは、長手方向に沿って形成された凹溝を有していて、この凹溝の底部にクリック穴が形成され、操作部材は上記クリック穴に落ち込むことができる球体を有している。したがって、操作部材の球体およびこれを付勢する付勢部材は、上記凹溝の深さ寸法分だけ操作部材の内方に配置することができ、その分操作部材の部分的な外方への突出量を抑制し、デザインの自由度を高めることができる。
【図面の簡単な説明】
【００１４】
【図１】本発明に係るヘッドホンの実施例の要部である長さ調節機構部分を拡大して示す側面断面図である。
【図２】上記実施例中のスライダーを示す正面図である。
【図３】図２中のＤ−Ｄ線に沿った上記スライダーの縦断面図である。
【図４】図３中のＢ−Ｂ線に沿った上記スライダーの幅方向の半分のみを示す横断面図である。
【図５】従来のヘッドホンの長さ調節機構の例を示す縦断面図である。
【発明を実施するための形態】
【００１５】
以下、本発明に係るヘッドホンの実施例を、図面を参照しながら説明する。
【実施例】
【００１６】
図１において、符号１はヘッドバンドを示している。ヘッドバンド１は円弧を描くことにより、ユーザーの頭部をまたぐことができるように形成されている。ヘッドバンド１の両端部（図１では一端部のみを示している）には操作部材３が固着されている。操作部材３は例えばプラスチックによる一体成形品で、内部に結合突起３１が一体成形により形成され、操作部材３の一端側から挿入されたヘッドバンド１の端部に形成されている孔が上記結合突起３１に嵌合することによって、ヘッドバンド１と操作部材３が一体に結合されている。
【００１７】
操作部材３を貫いてスライダー２が配置されている。スライダー２の一端部には、ハウジング内にドライバーユニットを組み込んだイヤピース（図示されず）が連結されている。スライダー２の他端部には、スライダー２が操作部材３から脱落するのを防止するストッパ６が取り付けられている。図２、図３に示すように、スライダー２は一端部２１に連結孔が形成され、この連結孔を使ってイヤピースがスライダー２の一端部に固着されている。イヤピースおよびこれと一体のスライダー２は、左右に対をなして設けられているが、図では片方のイヤピースとスライダー２のみが示されている。
【００１８】
左右一対のスライダー２は、操作部材３とともに以下に述べるように構成されることにより、ヘッドバンド１の両端部においてそれぞれ一端部がヘッドバンド１に対しその長手方向に進退可能である。図２、図３にも示すように、スライダー２は、例えば金属からなる細長い板をプレス成形して、長手方向に凹溝２２が形成され、凹溝２２の底部にはスライダー２の長手方向に一定間隔でクリック穴２３がプレス成形等により形成されている。図３、図４に示すように、凹溝２２の深さをａとする。
【００１９】
操作部材３は、スライダー２との間で相対移動することができるように、適宜のガイド構造を介してスライダー２を受け入れ、スライダー２は操作部材３を貫通している。操作部材３は、スライダー２の凹溝２２との対向位置にガイド突起３３が形成されている。ガイド突起３３は、スライダー２の凹溝２２の幅とほぼ同じ幅に形成されて凹溝２２に落ち込み、スライダー２はその凹溝２２ガイド突起３３にガイドされることによりヘッドバンド１の長手方向に相対移動可能となっている。
【００２０】
操作部材３は、ガイド突起３３に隣接して円筒形状の受け入れ穴３２を有している。受け入れ穴３２には、付勢部材としてのコイルばね４が挿入され、さらに球体５が挿入されている。球体５は、スライダー２の凹溝２２に対向している。また、球体５はその押圧力でコイルばね４を付勢し、この付勢力によって、スライダー２の凹溝２２の底部に形成されているクリック穴２３の一つに落ち込んでいる。換言すれば、コイルばね４は、球体５をクリック穴２３に向かって押圧する付勢部材を構成している。コイルばね４、球体５、クリック穴２３は、いわゆるクリック機構を構成していて、スライダー２がクリック穴２３のピッチに相当する寸法分移動するたびに、クリック感が発生する。また、球体５が一つのクリック穴２３に落ち込んだ態様で、操作部材３に対するスライダー２の相対位置関係を暫定的に維持する。
【００２１】
次に、上記実施例に係るヘッドホンの使用方法ないしは動作を説明する。この実施例に係るヘッドバンドの長さ調節機構を備えたヘッドホンを使用すべく、ユーザーがこのヘッドホンを頭部に装着したとする。このとき、ヘッドバンド１が短い場合は、このヘッドホンを装着し、ヘッドバンド１の中央部を頭部の頂点に当てたままで両側のイヤピースを最適な位置まで引き下げる。両側のイヤピースとともに左右のスライダー２がヘッドバンド１の両端部から延び出るように相対移動しヘッドバンド１が実質的に長くなる。スライダー２がヘッドバンド１に対して相対移動するとき、前述のようにクリック感が発生し、イヤピースの最適な位置で球体５が一つのクリック穴２３に落ち込み、操作部材３とスライダー２の相対位置関係を暫定的に維持する。
【００２２】
両側のイヤピースを最適な位置に装着した状態で、ヘッドバンド１がユーザーの頭頂部から離間する場合すなわちヘッドバンド１が長い場合は、上記のようにイヤピースを最適な位置に装着した状態で少なくとも片方の操作部材３を引き下げ、操作部材３をスライダー２に沿ってスライドさせる。操作部材３と一体的にヘッドバンド１が引き下げられるので、ヘッドバンド１が頭頂部に軽く接する位置で操作部材３の引き下げを停止する。こうしてヘッドバンド１の長さが調節される。この調節操作でも、スライダー２がヘッドバンド１に対して相対移動するとき、前記クリック感が発生し、球体５が一つのクリック穴２３に落ち込んだ状態で、操作部材３とスライダー２の相対位置関係を暫定的に維持する。
【００２３】
以上説明した実施例によれば、スライダー２は、長手方向に沿って形成された深さａの凹溝２２を有していて、この凹溝２２の底部にクリック穴２３が形成され、操作部材３はクリック穴２３に落ち込むことができる球体５を有している。したがって、図１に示すように、上記球体５およびこれを付勢する付勢部材としてのコイルばね４を収納する受け入れ穴３２の深さ寸法ｈが、図５に示す従来例の円筒部１３２の長さ寸法Ｈと同じ寸法であったとしても、操作部材３の球体５およびこれを付勢する付勢部材としてのコイルばね４は、上記凹溝２２の深さ寸法ａの分だけ操作部材３の内方に配置することができる。その分操作部材３の部分的な外方への突出量を抑制し、操作部材３のデザインの自由度を高めることができる。
【００２４】
本発明に係るヘッドホンによれば、ヘッドホンを装着したままヘッドバンドの長さ調節を行うことができるが、ヘッドホンの非装着状態でヘッドバンドの長さ調節を行うこともできる。
【産業上の利用可能性】
【００２５】
本発明は、耳覆い型ヘッドホンあるいは耳載せ型ヘッドホンにも適用することができる。本発明に係るヘッドホンの特徴ある構造は、汎用のヘッドホンはもとより、プロ用のヘッドホンにも適用することができる。
【符号の説明】
【００２６】
１    ヘッドバンド
２    スライダー
３    操作部材
４    付勢部材（ばね）
５    球体
６    ストッパ
２１    イヤピース連結部
２２    凹溝
２３    クリック穴
３２    受け入れ穴
３３    ガイド突起
【図１】
2011082851.tif 000003
【図２】
2011082851.tif 000004
【図３】
2011082851.tif 000005
【図４】
2011082851.tif 000006
【図５】
2011082851.tif 000007